(57)【要約】【課題】設置時、或いは管変更において、床材の切断や取り外しを無くすことで、施工性の向上を図ることができる効果を奏する。【解決手段】流路が上下方向に形成され、排水を流下させる直管部２を有する直管部材１０と、直管部材１０の下流側に接続され、排水の流路を上下方向から水平方向に変更させるエルボ４とを備え、直管部材１０には、上流側端部が直管部２に接続され、下流側端部がエルボ４に接続される螺旋状の羽根付きの接続ソケット３が設けられ、直管部２、接続ソケット３、及びエルボ４が分割されている構成の配管ユニット１を提供する。【選択図】図１
2015068138.tif 000002
【特許請求の範囲】
【請求項１】
流路が上下方向に形成され、排水を流下させる直管部を有する直管部材と、
該直管部材の下流側に接続され、前記排水の流路を前記上下方向から水平方向に変更させる曲管と、
を備え、
前記直管部材と前記曲管とが分割されていることを特徴とする配管ユニット。
【請求項２】
前記直管部材には、上流側端部が前記直管部に接続され、下流側端部が前記曲管に接続される螺旋状の羽根付きの接続ソケットが設けられ、
前記直管部、前記接続ソケット、及び前記曲管が分割されていることを特徴とする請求項１に記載の配管ユニット。
【請求項３】
前記曲管の上流側端部には、水平方向の流路側を示す位置決め目印が設けられていることを特徴とする請求項１又は２に記載の配管ユニット。
【請求項４】
前記接続ソケットの上流側端部には、前記曲管の水平方向の流路側を示す位置決め目印が設けられていることを特徴とする請求項２に記載の配管ユニット。
【請求項５】
流路が上下方向に形成され、排水を流下させる直管部を有する直管部材と、
該直管部材の下流側に接続され、前記排水の流路を前記上下方向から水平方向に変更させる曲管と、を備え、建物の床材の下方の床下空間に設置される配管ユニットの配管施工方法であって、
前記床下空間において水平方向に延びる横引管に前記曲管を接続する工程と、
前記曲管の設置後に、前記床材を配置する工程と、
前記床材を貫通させて前記曲管の上流側端部に前記直管部材を接続する工程と、
を有することを特徴とする配管施工方法。
【請求項６】
前記直管部材には、上流側端部が前記直管部に接続され、下流側端部が前記曲管に接続される螺旋状の羽根付きの接続ソケットが分割されて設けられ、
床材を設置する前に、前記曲管の上流側端部に前記接続ソケットを接続し、
次いで、前記床材を設置し、
その後、前記直管部を前記床材に貫通させて前記接続ソケットに接続することを特徴とする請求項５に記載の配管施工方法。
【請求項７】
前記直管部材には、上流側端部が前記直管部に接続され、下流側端部が前記曲管に接続される螺旋状の羽根付きの接続ソケットが分割されて設けられ、
床材を設置した後に、前記直管部と前記接続ソケットとを一体に接続した前記直管部材を前記床材に貫通させて前記曲管に接続することを特徴とする請求項５に記載の配管施工方法。
【発明の詳細な説明】
【技術分野】
【０００１】
本発明は、配管ユニット及び配管施工方法に関する。
【背景技術】
【０００２】
従来、戸建住宅やマンション等の建物には、特許文献１に記載されるように各階にトイレや浴室等の排水用の配管構造が配備されている。例えば、図１０に示すようなトイレ用の配管構造は、床下空間において、便器の排水口から鉛直下方へ延びる直管部１０１と、この直管部１０１の下端部に接続された曲管１０２とが一体になった一体型継手１００が設けられ、この曲管１０２の下流側端部に、所定の排水勾配で略水平方向へ延びる横引管１０３が接続されている。特に、直管部分に螺旋状の羽根がある場合には、羽根の位置決めが必要となるので、あらかじめ直管部１０１と曲管１０２とを一体にしている。
【先行技術文献】
【特許文献】
【０００３】
【特許文献１】特開２００３−３４２９８４号公報
【発明の概要】
【発明が解決しようとする課題】
【０００４】
しかしながら、従来の配管構造を設置する場合、床材を設置した後に便器の位置と横引管の位置に合わせて前記配管構造を設置する手順で作業が行われている。そのため、床材の所定位置に直管部を挿通させる貫通孔を形成し、その貫通孔を使用して床材の上方から直管部を床下空間に向けて挿通させて横引管に接続する必要がある。
【０００５】
ところが、上述したように直管部と曲管とが一体化された一体的継手の場合には、図１０に示すように、貫通させた後に横引管１０３と接着接合させる際、一体型継手１００を傾けながら曲管１０２を横引管１０３の上流側端部に嵌合させる必要があるが、その傾ける際に床材１０４の貫通孔１０４ａに一体型継手１００が干渉（図１０で符号Ｔの部分）するため接続が困難になっていた。そのため、通常は床材１０４を施工し、便器等の器具をトイレ室内に搬入するが、一体型継手１００を用いる場合、一体型継手１００と横引管１０３とを接続した後に床材１０４を施工しなければならないため、一体型継手１００と横引管１０３とを施工するまで器具の搬入ができず、作業に手間と時間がかかるという問題があり、その点で改善の余地があった。
【０００６】
本発明は、上述する問題点に鑑みてなされたもので、設置時、あるいは管変更において、床材の切断や取り外しを無くすことで、施工性の向上を図ることができる配管ユニット及び配管施工方法を提供することを目的とする。
【課題を解決するための手段】
【０００７】
上記目的を達成するため、本発明に係る配管ユニットでは、流路が上下方向に形成され、排水を流下させる直管部を有する直管部材と、該直管部材の下流側に接続され、前記排水の流路を前記上下方向から水平方向に変更させる曲管と、を備え、前記直管部材と前記曲管とが分割されていることを特徴としている。
【０００８】
また、本発明に係る配管施工方法では、流路が上下方向に形成され、排水を流下させる直管部を有する直管部材と、該直管部材の下流側に接続され、前記排水の流路を前記上下方向から水平方向に変更させる曲管と、を備え、建物の床材の下方の床下空間に設置される配管ユニットの配管施工方法であって、前記床下空間において水平方向に延びる横引管に前記曲管を接続する工程と、前記曲管の設置後に、前記床材を配置する工程と、前記床材を貫通させて前記曲管の上流側端部に前記直管部材を接続する工程と、を有することを特徴としている。
【０００９】
本発明では、直管部材と曲管とが分割されているので、床下空間における配管の設置時、或いは取り外し時において、曲管のみを横引管に接続した状態で、直管部材のみを床材の貫通孔を挿通させて、曲管の上流側端部（受け口）に対して着脱することができる。そのため、床材には直管部材が挿通可能な大きさの挿通孔のみを形成しておけばよく、設置時等の作業に必要な開口を設けるために床材を切断したり取り外すといった手間や時間のかかる作業が不要となり、施工効率の向上を図ることができる。
また、床材に対して直管部材のみを挿通させることができるので、床材の厚さに関係なく施工を行うことができる。
【００１０】
また、本発明に係る配管ユニットでは、前記直管部材には、上流側端部が前記直管部に接続され、下流側端部が前記曲管に接続される螺旋状の羽根付きの接続ソケットが設けられ、前記直管部、前記接続ソケット、及び前記曲管が分割されていてもよい。
【００１１】
この場合には、直管部と接続ソケットを一体的に接続した直管部材とした状態で、床材に挿通させて床下空間内の曲管に対して接続、或いは離脱させることができる。また、曲管側に接続ソケットを固定した状態で、直管部のみを床材に挿通させて床下空間内の接続ソケットに対して接続、或いは離脱させることも可能である。
【００１２】
また、本発明に係る配管ユニットでは、前記曲管の上流側端部には、水平方向の流路側を示す位置決め目印が設けられていることが好ましい。
【００１３】
このように構成することで、床下空間に配置される曲管の位置決め目印を、床材の上から目視することで、曲管の水平方向の流路方向を確認することができる。そのため、曲管に接続される直管部材に羽根部材などの排水方向を誘導する部材が設けられる場合でも、その羽根部材の位置を曲管の向きに合わせて間違わずに位置決めすることができる。
【００１４】
また、本発明に係る配管ユニットでは、前記接続ソケットの上流側端部には、前記曲管の水平方向の流路側を示す位置決め目印が設けられていることが好ましい。
【００１５】
このように構成することで、床下空間に配置される接続ソケットの位置決め目印を、床材の上から目視することで、接続ソケットを介して曲管の水平方向の流路方向を確認することができる。
【００１６】
また、本発明に係る配管施工方法では、前記直管部材には、上流側端部が前記直管部に接続され、下流側端部が前記曲管に接続される螺旋状の羽根付きの接続ソケットが分割されて設けられ、床材を設置する前に、前記曲管の上流側端部に前記接続ソケットを接続し、次いで、前記床材を設置し、その後、前記直管部を前記床材に貫通させて前記接続ソケットに接続することが好ましい。
【００１７】
また、本発明に係る配管施工方法では、前記直管部材には、上流側端部が前記直管部に接続され、下流側端部が前記曲管に接続される螺旋状の羽根付きの接続ソケットが分割されて設けられ、床材を設置した後に、前記直管部と前記接続ソケットとを一体に接続した前記直管部材を前記床材に貫通させて前記曲管に接続することが好ましい。
【発明の効果】
【００１８】
本発明の配管ユニット及び配管施工方法によれば、設置時、或いは管変更において、床材の切断や取り外しを無くすことで、施工性の向上を図ることができる効果を奏する。
【図面の簡単な説明】
【００１９】
【図１】本発明の実施の形態による配管ユニットを床下空間に設置した状態を示す要部縦断面図である。
【図２】直管部の構成を示す斜視図である。
【図３】接続ソケットの構成を示す一部透過した斜視図である。
【図４】エルボの構成を示す斜視図である。
【図５】配管ユニットの接続状態を示す斜視図であって、エルボに接続ソケットを接続した図である。
【図６】エルボに設けられた位置決め目印の構成を示す上面図である。
【図７】（ａ）〜（ｄ）は、本実施の形態の配管ユニットの設置工程を示す図である。
【図８】配管ユニットの他の接続状態を示す斜視図であって、エルボに接続ソケットを接続した図である。
【図９】他の配管ユニットの接続状態を示す斜視図である。
【図１０】従来の床下空間に配管構造を設置する状態を示す側面図である。
【発明を実施するための形態】
【００２０】
以下、本発明の実施の形態による配管ユニット及び配管施工方法について、図面に基づいて詳細に説明する。
【００２１】
図１に示す本実施の形態の配管ユニット１は、戸建住宅等のトイレの排水に適用された排水システムの場合を一例としている。
図１に示すように、本実施の形態の配管ユニット１が用いられるトイレの排水システムは、床材５上に設置された便器６と、床材５と基礎７との間の床下空間Ｒに設置され、所定の排水勾配で略水平方向へ延びる横引管８に接続されるトイレ用の前記配管ユニット１と、を備えている。
【００２２】
本実施の形態の配管ユニット１が適用される便器６は、便器本体６１と、便器本体６１と配管ユニット１との空間を遮断する封水を溜めるトラップ６２と、を備えている。そして、便器６は、その使用後に洗浄水（排水）を流して、便器本体６１内に存在する固形物等を洗浄水と共に流動させ、トラップ６２内を通過させるようになっている。
トラップ６２は、谷状に湾曲する谷状ターン部６２ａと、山状に湾曲する山状ターン部６２ｂとを備えている。
【００２３】
配管ユニット１は、便器６を設置させた床材５の下方に配設されており、トラップ６２に取り付けられた上部ソケット６３に接続される直管部２と、直管部２の下流側端部に接続される接続ソケット３と、接続ソケット３の下流側端部に接続されるエルボ（曲管）４と、を備えている。直管部２と接続ソケット３は、直管部材１０を構成している。
上述した横引管８は、エルボ４に接続され、所定の排水勾配で水平方向へ延びている。なお、横引管８の下流側には不図示の排水ヘッダー等を介して基礎７の外部に設置された排水桝（不図示）に接続されている。
【００２４】
図２に示すように、直管部２は、射出成形法により成形され、直線状に延びる円筒形配管に形成されている。
【００２５】
接続ソケット３は、図３に示すように、上側に大径筒部３１と、下側に小径筒部３２とからなり、小径筒部３２の内部に、該配管ユニット１の流路が排水で塞がれることによって、塞がれた部分よりも上流側の空間に負圧がかかるのを防止するための螺旋羽根３３を備えている。接続ソケット３は、大径筒部３１の上端側端部には直管部２が内嵌接続され、小径筒部３２の下端側端部にはエルボ４が外嵌接続されている。
【００２６】
螺旋羽根３３は、平面視で接続ソケット３の内周面に沿って湾曲した形状をなす板状の部材である。螺旋羽根３３の外周面３３ａは、接続ソケット３の軸線３ｃを中心とし、接続ソケット３の内周面に沿う螺旋上の一部に配されるよう延びている。また、螺旋羽根３３の上面３３ｂは、接続ソケット３が直管部２に取り付けられた状態で、排水の一部を受けてその鉛直下方への流下を規制するとともに所定の方向に導く整流面となるよう形成されている。この螺旋羽根３３の形成範囲は、接続ソケット３の内周面に形成される仮想螺旋形状の３分の１ピッチから２分の１ピッチとされている。
【００２７】
また、接続ソケット３の小径筒部３２の外周面には、径方向の外側に突出する円形断面の突起３４が設けられている。この突起３４の形成位置は、外面の周方向で螺旋羽根３３の螺旋開始位置であって、下流側端部から適宜な高さとなる位置に配置されている。
【００２８】
エルボ４は、図４に示すように、略９０度の角度をなして配置される接続ソケット３と横引管８（図１参照）とを接続する管継手である。エルボ４において、直管部材１０から流下する排水の流動方向に略対向して排水を受ける壁部は、湾曲し排水の流路を変更させる湾曲部４１とされている。エルボ４は、湾曲部４１の上流側、および下流側が湾曲部４１よりも拡径されている。上流側拡径部４２には接続ソケット３の小径筒部３２が内嵌接続され、下流側拡径部４３には横引管８が内嵌接続されている。
【００２９】
エルボ４の上流側拡径部４２には、その上端部において、接続ソケット３の突起３４を嵌合させる凹状の切欠部４４が形成されている。この切欠部４４に突起３４を嵌合させることで、接続ソケット３とエルボ４との軸線３ｃ回りの周方向に位置決めされる構成となっている（図５参照）。
【００３０】
また、図６に示すように、エルボ４の上流側端部には、エルボ４の水平方向の流路側（横引管８の方向）を示す位置決め目印Ｐが設けられている。この位置決め目印Ｐとしては、インクやシール、突起や凹部等で記された表示を用いることができる。
【００３１】
このように構成される配管ユニット１は、図１に示すように、各接続部、すなわち上部ソケット６３と直管部２同士、直管部２と接続ソケット３同士、接続ソケット３とエルボ４同士、及びエルボ４と横引管８同士の接続には接着剤によって接着されている。
【００３２】
なお、配管ユニット１の接続手順としては、図５に示すように、先ず、横引管８に接続したエルボ４に接続ソケット３を接続した後に、その接続ソケット３に対して直管部２を接続する。或いは、図６に示すように、予め直管部２の下流側端部に接続ソケット３を接続して一体化しておき、この一体化された状態の接続ソケット３を横引管８に接続されているエルボ４に接続する手順とすることも可能である。
【００３３】
次に、配管ユニット１の床下空間Ｒへ設置する方法と、便器６の変更時における施工方法について、図面に基づいて説明する。
上記の構成を有する直管部２、接続ソケット３、エルボ４を備えた配管ユニット１を床下空間Ｒに設置するには、先ず、図７（ａ）に示す横引管８の上方に図７（ｂ）に示す床材５を設置する。そして、図７（ｂ）に示すように、床材５に開けられた貫通孔５ａからエルボ４をその下流側端部側から挿入し、横引管８に接続させるとともに、上流側端部を上方に向けた状態で接着固定しておく。
【００３４】
そして、図５及び図７（ｃ）に示すように、エルボ４の曲がり方向を確認し、接続ソケット３を接続する。このとき、接続ソケット３の突起３４をエルボ４の切欠部４４に嵌合させることにより、周方向を螺旋羽根３３（図３参照）が曲がり方向側に向くように接続ソケット３をエルボ４に嵌合させて固定することができる。この際、接続ソケット３の小径筒部３２の外周面に接着剤を塗布しておき、エルボ４と接続ソケット３とが堅固に固定されるようにする。
【００３５】
次いで、図５及び図７（ｄ）に示すように、床材５の貫通孔５ａを貫通させて接続ソケット３の上流側端部に直管部２を接続する。この際、直管部２の外周面に接着剤を塗布しておき、接続ソケット３と直管部２とが堅固に固定されるようにする。これにより、図１に示すように便器６の排口部に設けられる上部ソケット６３に直管部２が嵌合するように便器６を設置して施工が完了する。
この状態で、接続ソケット３内の螺旋羽根３３が便器６から排出され直管部２により鉛直下方に流下する排水を、螺旋羽根３３の整流面で受け、この整流面の形状に沿った流れとなるように流路を変更させることができる。そのため、排水は、螺旋羽根３３の整流面の形状に従って接続ソケット３の内周面に沿って流路を変更し旋回を開始し、エルボ４の湾曲部４１に円滑に導くことができる。つまり、エルボ４内で排水の乱流又は滞留が発生することを回避して、排水を円滑かつ高速で流下させ、排水及び流動物の搬送機能を高めることができるという効果を奏する。
【００３６】
このように本実施の形態では、直管部２、接続ソケット３、及びエルボ４が分割されているので、床下空間Ｒにおける配管の設置時、或いは取り外し時において、図８に示すように、直管部２と接続ソケット３を一体的に接続した直管部材１０とした状態で、床材５に挿通させて床下空間Ｒ内のエルボ４の上流側端部（受け口）に対して接続、或いは離脱させることができる。また、上述した図５に示すように、エルボ４側に接続ソケット３を固定した状態で、直管部２のみを床材５に挿通させて床下空間Ｒ内の接続ソケット３に対して接続、或いは離脱させることも可能である。
【００３７】
そのため、床材５には直管部材１０が挿通可能な大きさの貫通孔５ａのみを形成しておけばよく、設置時等の作業に必要な開口を設けるために床材５を切断したり取り外すといった手間や時間のかかる作業が不要となり、施工効率の向上を図ることができる。
また、床材５に対して直管部材１０のみを挿通させることができるので、床材５の厚さに関係なく施工を行うことができる。
【００３８】
また、本実施の形態では、図６に示すように、床下空間Ｒに配置されるエルボ４の位置決め目印Ｐを、床材５の上から目視することで、エルボ４の水平方向の流路方向を確認することができる。そのため、エルボ４に接続される直管部材１０の接続ソケット３に螺旋羽根３３などの排水方向を誘導する部材が設けられる場合でも、その螺旋羽根３３の位置をエルボ４の向きに合わせて間違わずに位置決めすることができる。
【００３９】
このように構成される配管ユニット及び配管施工方法では、設置時、或いは管変更において、床材５の切断や取り外しを無くすことで、施工性の向上を図ることができる効果を奏する。
【００４０】
以上、本発明による配管ユニット及び配管施工方法の実施の形態について説明したが、本発明は上記の実施の形態に限定されるものではなく、その趣旨を逸脱しない範囲で適宜変更可能である。
【００４１】
例えば、上述の本実施の形態では、直管部２、接続ソケット３、及びエルボ４が分割され、それぞれが接着固定された構成となっているが、接着固定に制限されることはなく、各接続部において、止水性を有するパッキンや止水リング（Ｏリング）等を介して接続させることもできる。
【００４２】
また、本実施の形態では、直管部材１０が直管部２と接続ソケット３とからなる部材としているが、接続ソケット３を省略した構成、すなわち図９に示すように、直管部材１０が直管部２Ａのみから構成されるものを採用することも可能である。直管部２Ａの内面には、螺旋羽根２１が設けられている。この場合には、直管部２Ａの下流側端部がエルボ４の上流側端部（受け口）に接続される。
【００４３】
また、本実施の形態では、エルボ４の上流側端部に水平方向の流路側を示す位置決め目印Ｐが設けられているが、これに限定されることはない。
例えば、直管部２を接続する前に、先行してエルボ４に接続ソケット３を接続しておく場合には、接続ソケット３の上流側端部にエルボ４の水平方向の流路側を示す位置決め目印Ｐが設けられていてもよい。
さらに、水平方向の流路側を示す位置決め目印Ｐはエルボ４の湾曲部の内部に設けてもよく、この場合には直管部２や接続ソケット３を設けた後でも水平方向の流路の方向を確認することができる。
【００４４】
その他、本発明の趣旨を逸脱しない範囲で、上記した実施の形態における構成要素を周知の構成要素に置き換えることは適宜可能である。
【符号の説明】
【００４５】
１  配管ユニット
２  直管部
３  接続ソケット
４  エルボ（曲管）
５  床材
６  便器
８  横引管
１０  直管部材
３３  螺旋羽根（羽根部材）
３４  突起
４１  湾曲部
４４  切欠部
Ｐ  位置決め目印
Ｒ  床下空間
【図１】
2015068138.tif 000003
【図２】
2015068138.tif 000004
【図３】
2015068138.tif 000005
【図４】
2015068138.tif 000006
【図５】
2015068138.tif 000007
【図６】
2015068138.tif 000008
【図７】
2015068138.tif 000009
【図８】
2015068138.tif 000010
【図９】
2015068138.tif 000011
【図１０】
2015068138.tif 000012